(57)【要約】【課題】  本発明はフォトブックに掲載された静止画を介して対応する動画の閲覧を可能ならしめるフォトブック作成システムならびにその使用方法の提供を目的とする。  【解決手段】  本発明は、所定静止画に対応する動画データをＤＢ上に保管し、ＤＢ上の動画保管アドレスを電子透かし情報として該当する静止画に埋め込んでなるフォトブックを作成するシステム、ならびに該システムで作成したフォトブックをカメラ付き端末で読み取り、当該静止画に埋め込まれた電子透かしを自動的に読み取りＤＢ上の動画保管アドレスの動画データを該端末に表示するようにして、上記課題を解決した。【選択図】  図１
2013092903.tif 000002
【特許請求の範囲】
【請求項１】
多数の画像が印刷されたページ紙面からなるフォトブックを生成するシステムにおいて、前記システムは、静止画データと該静止画データを所定ページ紙面上にレイアウト印刷するレイアウトデータとを少なくとも備えたデータを記憶し保管するデータベースと、該データベースにデータを登録するデータ登録手段と、該データベースに登録されたデータに基づいて所定ページ紙面に静止画をレイアウト印刷する印刷手段とからなり、
前記データベースは静止画データと動画データとを対応付けて保管する対応付け手段を備えたデータベースであって、
さらに、前記システムは前記動画データが保管されている動画保管アドレスを電子透かし情報とするための電子透かし生成手段と、
前記電子透かし生成手段によって生成された電子透かし情報を当該動画データに対応する静止画データ内に埋め込むための電子透かし埋め込み手段と、を備え、
前記電子透かし埋め込み手段によって動画保管アドレスの埋め込まれた静止画データに基づいて印刷されたフォトブックの所定ページ紙面上の静止画に埋め込まれた電子透かしから取得される動画保管アドレスの動画データをアクセス可能にしたことを特徴とするフォトブック作成システム。
【請求項２】
請求項１記載のフォトブック作成システムによって作られたフォトブックの使用方法であって、フォトブックの所定ページ紙面上に印刷された所定静止画をカメラ付き端末で読み取り、読み取った静止画データに埋め込まれた電子透かしに基づいて動画保管アドレスを取得し、取得した動画保管アドレスを当該端末からアクセスし、該アドレスの動画データを当該端末にダウンロードして表示することでフォトブックに印刷された静止画に対応する動画を閲覧するようにしたことを特徴とするフォトブックの使用方法。
【発明の詳細な説明】
【技術分野】
【０００１】
本発明は、フォトブックを介して動画の閲覧を可能にしたフォトブック作成システムおよびその使用方法に関するものである。
【背景技術】
【０００２】
フォトブックとは、従来のアルバムに変わる写真集のようなものであって、多数の写真画像とこれに付帯する文字絵柄等の集合からなる冊子状の印刷物である。
【０００３】
従来の写真集はオフセット印刷やグラビア印刷などで製作される関係で、受注から完成までに多くの時間と費用を必要とした。しかし、オンデマンド印刷機器（プリンター）やそれらをコントロールするカラーマネージメント技術などのデジタル処理による印刷技術の向上により、品質のよいものが短時間に作成可能となった。さらに、デジタルカメラの普及、デジタル処理技術の向上により近年では個人が一冊単位でフォトブックを注文することも可能となった。
【０００４】
フォトブックは、フォトブックの主要な構成である写真調の画像を形成するための静止画データ、フォトブックに付帯する文字となるテキストデータ、ならびにイラスト図柄となる図柄データなどを組み合わせたデータをデジタル処理してプリンターで所定の用紙（記録媒体）に印刷出力し、印刷された用紙を製本して完成するものである。
例えば、特許文献１に見られるように、近年では顧客がデジタルカメラで撮影した静止画データをインターネット介してサービス提供者に送ってフォトブック（オンラインアルバム）を作成することが可能である。
【０００５】
さらに、アルバムに掲載した画像の撮影日時や撮影場所のデータを残したいというニーズもある。この場合、アルバムの見た目が損なわれないようにする必要がある。特許文献１のアルバムシステムにはアルバムに掲載した画像の撮影日時や撮影場所のデータを電子透かし技術を利用して画像に埋め込む点が挙げられている。
【０００６】
なお、電子透かし技術とは、人間の知覚（視覚）の特性を利用し静止画のデジタルコンテンツに対してコンテンツ自体とは別の情報を人間に知覚できないように埋め込む技術をいう。（非特許文献１第２頁参照）
【０００７】
他方、ビデオカメラの普及もめざましく、一般家庭でもデジタルカメラと同様にビデオカメラが利用され、多くの動画が撮影されている。
ビデオカメラで撮影して得られた動画データは、何らかの記録メディアに蓄積され保存さているが、保存されているデータ量が多くなると必要なときに必要な動画データを見つけ出すのが難しくなる。
【０００８】
近年では、動画データをパソコンで管理するための動画データ管理用ソフトウエアが開発され販売されている。しかしながら、動画データ管理用ソフトウエアを利用するには高性能なパソコンと大容量の記憶装置が無ければ利用できず、したがって動画データ管理用ソフトウエアは誰もが何時でも何処でも利用できるというものではない。
【先行技術文献】
【特許文献】
【０００９】
【特許文献１】特開２００５−３３９２１４号公報
【非特許文献】
【００１０】
【非特許文献１】電子透かし技術に関する調査報告書、社団法人電子情報技術産業協会編（平成１３年３月）
【発明の概要】
【発明が解決しようとする課題】
【００１１】
以上のように、フォトブックは既に世間に広く出回っているが、何れも外観的なデザインとしての差異はあるものの、基本的には多数の画像を貼り付けた冊子状の印刷物である。上記の背景技術の欄で説明したように個々の画像の夫々に電子透かしを埋め込んだものもあるが、見た目は冊子状の印刷物であって紙面に掲載されている画像を眺めるものであり一般的なフォトブックと変らず斬新さに欠けるという課題がある。
【００１２】
そこで本発明は、見た目は通常の画像と変わらない画像（静止画）が多数掲載されたフォトブックにおいて、当該フォトブックに掲載された個々の画像を介して当該画像に対応する動画の閲覧を可能ならしめるフォトブック作成システムならびにその使用方法の提供を目的とする。
【課題を解決するための手段】
【００１３】
本発明は、以下の各態様に記載の手段により上記の課題を解決するものである。
本発明の第１の態様は、多数の画像が印刷されたページ紙面からなるフォトブックを生成するシステムにおいて、前記システムは、静止画データと該静止画データを所定ページ紙面上にレイアウト印刷するレイアウトデータとを少なくとも備えたデータを記憶し保管するデータベースと、該データベースにデータを登録するデータ登録手段と、該データベースに登録されたデータに基づいて所定ページ紙面に静止画をレイアウト印刷する印刷手段とからなり、前記データベースは静止画データと動画データとを対応付けて保管する対応付け手段を備えたデータベースであって、さらに、前記システムは前記動画データが保管されている動画保管アドレスを電子透かし情報とするための電子透かし生成手段と、前記電子透かし生成手段によって生成された電子透かし情報を当該動画データに対応する静止画データ内に埋め込むための電子透かし埋め込み手段と、を備え、前記電子透かし埋め込み手段によって動画保管アドレスの埋め込まれた静止画データに基づいて印刷されたフォトブックの所定ページ紙面上の静止画に埋め込まれた電子透かしから取得される動画保管アドレスの動画データをアクセス可能にしたことを特徴とするフォトブック作成システムである。
【００１４】
本発明に第１の態様によれば、所定静止画と関連付けて対応する動画データをデータベース上に保管し、電子透かし技術を利用しデータベース上の動画保管アドレスを該当する静止画に埋め込んでおき、前記動画管理アドレスの埋め込まれた静止画からフォトブックを作成することで、フォトブック上に掲載された静止画から前記データベース上に保管されている動画データを簡単にアクセスし利用することが可能となる。
【００１５】
本発明の第２の態様は、前記第１の態様によって作られたフォトブックの使用方法であって、フォトブックの所定ページ紙面上に印刷された所定静止画をカメラ付き端末で読み取り、読み取った静止画データに埋め込まれた電子透かしに基づいて動画保管アドレスを取得し、取得した動画保管アドレスを当該端末からアクセスし、該アドレスの動画データを当該端末にダウンロードして表示することでフォトブックに印刷された静止画に対応する動画を閲覧するようにしたことを特徴とするフォトブックの使用方法である。
【００１６】
本発明の第２の態様によれば、見た目は通常の画像と変わらない画像（静止画）が多数の掲載されたフォトブックに掲載された個々の画像をカメラ付き端末で読み取るだけで該画像に埋め込まれた電子透かしを自動的に読み取って取得した動画保管アドレスの動画データを該端末にダウンロードされ、当該動画データを簡単に表示することができる。
【発明の効果】
【００１７】
本発明によれば動画データをデータベース上に保管することができ、且つ、データベース上に保管した動画データの夫々に対応する静止画が掲載されているフォトブックが得られるので、フォトブック上に掲載されている静止画を見ることで誰もが何時でも何処でも対応する動画を目視で探し出し当該動画をアクセスし閲覧することができる。
【００１８】
したがって、本発明のフォトブックは付加価値が高く通常の単に外観的なデザインのみを追及したフォトブックとの差別化が図れるものである。
【図面の簡単な説明】
【００１９】
【図１】本発明のフォトブック作成システムの概念図である。
【図２】本発明のフォトブックの一例を示す図である。
【図３】本発明にかかるデータベース上に登録されているデータ構造を示す図である。
【図４】本発明にかかるフォトブック素データのデータ構造を示す図である。
【図５】本発明にかかるフォトブック印刷用データの構造を示す図である。
【図６】本発明にかかるフォトブック全体デザインの登録手順を示すフローチャートである。
【図７】本発明にかかる静止画データならびにレイアウトデータの登録手順を示すフローチャートである。
【図８】本発明にかかる動画データならびに動画保管アドレスの登録手順を示すフローチャートである。
【図９】本発明のフォトブック印刷用データの生成手順を示すフローチャートである。
【図１０】本発明のフォトブックの作成手順を示すフローチャートである。
【図１１】本発明のフォトブックの使用例を示すフローチャートである。
【発明を実施するための形態】
【００２０】
以下、本発明の実施の形態について図面を参照して説明する。
図１は、本発明のフォトブック作成システムの概念図である。同図において、１はフォトブック作成業者側のシステム（以下、業者側システムという）である。業者側システム１は、フォトブック作成業者またはフォトブック作成業者から委託された組織が運営するＷｅｂサーバー３１と該サーバー３１に繋がるデータベース３２、ならびに、Ｗｅｂサーバー３１によって情報処理され生成された画像データや付帯する加工データに基づき所定の画像を印刷手段であるところのプリンターで用紙に印刷し、印刷された用紙を製本加工して最終的な形態のフォトブックに仕上げるための印刷・加工部４０から構成されている。１０は完成したフォトブックである。
【００２１】
まず、図1を参照して本発明のフォトブック作成システムの概念を説明する。業者側システム１のＷｅｂサーバー３１はネットワークを介して顧客（ｎさん）側が操作する発注者端末２０と繋がっており、顧客は、前記発注者端末２０を介して本発明にかかるフォトブック作成の申し込み並びに各種データの登録を行うものである。
前記発注者端末２０の操作は顧客ｎさんご自身が行う必要はなく、代行者でもよい。さらにまた、本発明にかかるフォトブック作成の申し込み、Ｗｅｂサーバー３１への各種データの登録を発注者端末２０から行わずに、顧客ｎさんまたは顧客ｎさんの代行者がリアルな店舗に出向き、該店舗において店員を介して行うこともできる。
【００２２】
以下の本発明にかかる実施形態においては、顧客ｎさんが発注者端末２０からネットワークを介してＷｅｂサーバー３１にアクセスしてフォトブック作成にかかる各種登録を行う場合を例に説明する。
【００２３】
図２は、本発明のフォトブック１０の一例を示す図である。本発明のフォトブック１０は、外観としては多数の画像（例えば画像１、２・・・ｋ・・・）が印刷されたページ紙面からなる冊子状の印刷物である。フォトブックを構成する各ページ紙面に所定のレイアウトで画像が印刷形成されるわけであるが、それぞれのページ紙面に形成される画像の数は一枚の場合も複数枚の場合もある。
【００２４】
図３は、本発明にかかるデータベース３２上に登録されているデータ構造を示す図であって、顧客ｎさんのデータの一例を示している。即ち、顧客ｎさんを特定するため顧客識別情報であるところの顧客ＩＤをＩＤ（ｎ）、顧客ｎさんのフォトブック素データをＰＢ（ｎ）、顧客ｎさんのフォトブックの全体的デザインを定めるデータを全体デザインデータＤｓ（ｎ）と表記して例示したものである。
【００２５】
図４は、本発明にかかるフォトブック素データのデータ構造を示す図であって、顧客ｎさんの顧客ＩＤ（ｎ）に対応するフォトブック素データＰＢ（ｎ）を構成する複数の画像（画像１、２・・・ｋ・・・）のうち、ｋ番目のデータをＰＢ（ｎ，ｋ）として表記したものである。
【００２６】
フォトブック素データＰＢ（ｎ）は、静止画Ｉｍ、レイアウトデータＬｙ、動画データＭｖ、動画保管アドレスａｄの各データから構成される。前記レイアウトデータＬｙは、静止画Ｉｍに対する変倍係数、印刷サイズ、印刷角度、トリミング条件、ならびに全体レイアウトＤｓ（ｎ）への静止画Ｉｍの配置などを定めるパラメータで構成されている。
【００２７】
ここで、顧客ｎさんの顧客ＩＤ（ｎ）に対応するフォトブック素データＰＢ（ｎ）のうちのｋ番目のデータをＰＢ（ｎ，ｋ）と表記し、ＰＢ（ｎ，ｋ）を構成する各パラメータを、静止画データＩｍ（ｋ）、動画データＭｖ（ｋ）、レイアウトデータＬｙ（ｋ）、動画保管アドレスａｄ（ｋ）と表記するものとする。従って、ＰＢ（ｎ）はＰＢ（ｎ，ｋ）の集合を意味することになる。
【００２８】
図５は、本発明にかかるフォトブック印刷用データの構造を示す図である。顧客ｎさんのフォトブック印刷用データのうち、ｋ番目のフォトブック印刷用データを♯ＰＢ（ｎ，ｋ）と表記するものとする（図５（１））。
【００２９】
フォトブック印刷用データを♯ＰＢ（ｎ，ｋ）は、後述のフォトブック印刷用データの生成にかかる処理（図９参照）によって前記静止画Ｉｍ（ｋ）に電子透かしデータを埋め込んだ静止画データ♯Ｉｍ（ｋ）と、前記レイアウトデータＬｙ（ｋ）と、前記全体デザインデータＤｓ（ｎ）の各データから構成される。
【００３０】
便宜上、♯ＰＢ（ｎ，ｋ）の集合である最終的なフォトブック印刷用データを♯ＰＢ（ｎ）と表記し、♯ＰＢ（ｎ）に対応するパラメータを♯Ｉｍ、Ｌｙ、Ｄｓ（ｎ）と表記する（図５（２））。
フォトブック印刷用データ♯ＰＢ（ｎ）はプリントイメージファイルＰＩＦを生成する元となるデータである。
【００３１】
以下、本発明にかかるフォトブックを作成する手順について図６〜図１０に示すフローチャートを参照して説明する。
【００３２】
顧客ｎさんは希望の画像が印刷されたフォトブックを頭の中にイメージしながら作業を進めることになる。そのためには、フォトブックに掲載予定の静止画データを予め用意しておく必要がある。前記静止画データとしてはデジタルカメラで撮影したもの、あるいは写真等をスキャナーで読み取ったものなどが挙げられるが、何れにしても顧客側で予め選定した静止画データが用意されているものとする。さらに、前記静止画データに対応する動画データも予め用意されているものとする。
【００３３】
なお、前記静止画データ、前記動画データのデータ量が大きく、発注者端末２０からネットワークを介してＷｅｂサーバー３１に転送しＤＢ３２に格納することが困難な場合は、前記静止画データ、前記動画データをコピーした記録媒体を業者側に予め送付し、業者側でＤＢ３２に格納するようにしてもよい。
【００３４】
図６は、本発明にかかるフォトブック全体デザインの登録手順を示すフローチャートである。
【００３５】
まず初めに、フォトブック全体デザインの登録に際しては、顧客は発注端末２０から「レイアウト方法の選択」を行う（Ｓ１１）。
顧客が「レイアウト方法の選択」（Ｓ１１）で「フォトブック全体デザイン見本から選択する」を選択した場合は、業者システム１において予め業者側で用意したデザイン見本をＷｅｂサーバー３１から発注者端末２０に送り、端末２０の画面に表示する。顧客ｎさんは表示されたデザイン見本から全体的なフォトブックのデザインを選択し、選択結果をＷｅｂサーバー３１に返す（Ｓ１２）。
【００３６】
顧客がレイアウト方法の選択（Ｓ１１）で「自分でレイアウトする」を選択した場合は、レイアウト設計ツールがＷｅｂサーバー３１から前記端末２０に表示される。顧客はレイアウト設計ツールを利用して前記端末２０の画面から所望のレイアウトを決定する（Ｓ１４）。
【００３７】
以上により決定した全体デザインデータＤｓ（ｎ）をＤＢ３２に登録することでフォトブック全体デザインの登録処理が完了する（Ｓ１３）。
【００３８】
図７は、本発明にかかる静止画データならびにレイアウトデータの登録手順を示すフローチャートである。
【００３９】
まず、前掲のフォトブック全体デザインの登録処理（図６）によって登録された全体デザインデータＤｓ（ｎ）と、顧客が予め用意した静止画データＩｍを発注者端末２０に表示する（Ｓ２１）。静止画データＩｍとは複数の静止画の集合を意味し、各静止画にはインデックスが付与さており、例えばｋ番目の静止画はＩｍ（ｋ）として特定するものとする。
【００４０】
次に、発注者端末２０に表示された全体デザインデータＤｓ（ｎ）に対して静止画データＩｍのうちのｋ番目の静止画データＩｍ（ｋ）を配置する位置を決定する。即ち、前記端末２０に画面表示されたフォトブックの全体デザインデータＤｓ（ｎ）に対して静止画データＩｍ（ｋ）を配置するページと当該ページの中の配置する位置を決定する（Ｓ２２）。
【００４１】
次に、所定位置に配置された静止画Ｉｍ（ｋ）に対して更にサイズ、角度、トリミングの調整を行い、静止画Ｉｍ（ｋ）対応するレイアウトデータＬｙ（ｋ）を生成する（Ｓ２３）。
【００４２】
なお、レイアウトデータＬｙは、静止画が配置されるフォトブック上の位置、サイズ、角度、トリミングの各情報が少なくとも含まれ、対応する静止画Ｉｍと関連付けてＤＢ３２に登録（一時記憶）される。
【００４３】
ステップＳ２２とＳ２３の処理をフォトブックに掲載する静止画データの数だけ繰り返す。
【００４４】
以上の処理が終わった段階で、前記端末２０の画面上でフォトブックに配置され静止画のレイアウト状態（全体的な体裁）を確認し、必要に応じて修正する。確認と修正を繰返して、各静止画Ｉｍに関連付けられた各レイアウトデータＬｙを決定しＤＢ３２に登録する（Ｓ２４）。
以上により静止画データならびにレイアウトデータの登録処理が完了する。
【００４５】
図８は、本発明にかかる動画データならびに動画保管アドレスの登録手順を示すフローチャートである。
【００４６】
まず、顧客が予め用意した動画データＭｖを呼び出し、発注者端末２０に表示する（Ｓ３１）。動画データＭｖとは複数の動画の集合を意味し、各動画にはインデックスが付与されており、例えばｋ番目の動画はＭｖ（ｋ）として特定するものとする。
【００４７】
次に、静止画データＩｍ（ｋ）に対応する動画を動画Ｍｖから選定する（Ｓ３２）。ここで、選定された動画をＭｖ（ｋ）とする。
【００４８】
次に、対応付け手段によって、前記動画Ｍｖ（ｋ）と静止画Ｉｍ（ｋ）とを関連付けて、ＤＢ上の動画保管アドレスａｄ（ｋ）を生成する（Ｓ３３）。
ステップＳ３１〜Ｓ３３の処理をフォトブックに掲載する静止画データの数だけ繰り返す。
【００４９】
確認と修正を繰返して、各静止画Ｉｍに関連付けられた各動画保管アドレスａｄをＤＢ３２に登録する。
以上により動画データと静止画データの対応付け、ならびに動画保管アドレスの登録処理が完了する（Ｓ３４）。
【００５０】
なお、フォトブックに掲載する静止画の全てに動画を対応させて動画閲覧可能にしてもよいが、全ての動画を閲覧可能にしなくてもよい。例えば、フォトブックに掲載される画像の近傍またはその一部にマークを表示しておくことで動画閲覧可能なものを判別できるようにしてもよい。
【００５１】
図９は、本発明のフォトブック印刷用データの生成手順を示すフローチャートである。ここで、静止画に対して対応する動画保管アドレスを電子透かしとして静止画データに埋め込む処理が施される。
【００５２】
まず、静止画データＩｍ（ｋ）と動画保管アドレスａｄ（ｋ）をＤＢ３２から呼び出す（Ｓ４１）。
次に、電子透かし生成手段によって、動画保管アドレスａｄ（ｋ）から電子透かし用埋め込みデータＷｉ（ｋ）を生成する（Ｓ４２）。
次に、電子透かし埋め込み手段によって、静止画Ｉｍ（ｋ）に埋め込みデータＷｉ（ｋ）を埋め込み、♯Ｉｍ（ｋ）を生成する（Ｓ４３）。
最後に♯Ｉｍ（ｋ）をＤＢ３２に登録する（Ｓ４４）。
ステップＳ４１〜Ｓ４４の処理を静止画データの数だけ繰り返す。
以上によりフォトブック印刷用データ♯ＰＢ（ｎ）が生成される。
【００５３】
なお、♯ＰＢ（ｎ）のうち、ｋ番目に登録されたデータが♯ＰＢ（ｎ，ｋ）であり、♯ＰＢ（ｎ，ｋ）は♯Ｉｍ（ｋ）、Ｌｙ（ｋ）、Ｄｓ（ｎ）をパラメータとするデータである（図５（１）参照）。
【００５４】
したがって、♯ＰＢ（ｎ，ｋ）の集合が最終的なフォトブック印刷用データであり、これを♯ＰＢ（ｎ）と表記し、♯ＰＢ（ｎ）に対応するパラメータを♯Ｉｍ、Ｌｙ、Ｄｓ（ｎ）と表記する（図５（２）参照）。
【００５５】
図１０は、本発明のフォトブックの作成手順を示すフローチャートである。
前掲のフォトブック印刷用データの生成手順（図９）によって生成されたフォトブック印刷用データ♯ＰＢ（ｎ）に基づきプリントイメージファイルＰＩＦを生成する（Ｓ５１）。
【００５６】
次に、前記プリントイメージファイルＰＩＦを、印刷・製本加工部４０内に備えた印刷手段であるプリンターに送り所定用紙に印刷する（Ｓ５２）。
次に、前記印刷された用紙を、印刷・製本加工部４０内に備えた製本加工装置によって製本加工して、フォトブック１０が完成する（Ｓ５３）。
【００５７】
図１１は、本発明のフォトブックの使用例を示すフローチャートである。
以上のようにして完成したフォトブック１０は、フォトブック作成業者から注者の顧客ｎさんに送付される。フォトブックの使用者は、顧客ｎさんがその一人であるが、顧客ｎさんからフォトブックを配布された相手がフォトブックの使用者となる（以下、単に使用者という）。
【００５８】
当該フォトブックには、このフォトブックが通常のフォトブックと異なり、掲載されている静止画に対応する動画の閲覧が可能であること、ならびにその使用方法が記載されている。
【００５９】
まず、使用者はフォトブックの所望のページを開く（Ｓ６１）。
次に、所望の静止画（ｋ）をカメラ付き端末５１のカメラで撮影し、前記端末５１によって静止画データ♯Ｉｍ（ｋ）を取得する（Ｓ６２）。
次に、前記端末５０内のアプリケーションソフト（ＡＰ）により所得した♯Ｉｍ（ｋ）から埋め込みデータＷｉ（ｋ）を抽出する（Ｓ６３）。
次に、前記端末５０内のアプリケーションソフト（ＡＰ）により前記Ｗｉ（ｋ）から動画保管アドレスａｄ（ｋ）を算出する（Ｓ６４）。
次に、前記端末５０によりネットワークを介してＷｅｂサーバー３１に繋がるデータベースＤＢ３２の動画保管アドレスａｄ（ｋ）をアクセスして動画データＭｖ（ｋ）をダウンロードする（Ｓ６５）。
次に、前記ダウンロードした動画データＭｖ（ｋ）を端末５０の動画表示機能よって前記静止画♯Ｉｍ（ｋ）に対応する動画データＭｖ（ｋ）が表示される（Ｓ６６）。
以上Ｓ６１〜６６を繰り返すことにより、所定の静止画に対応する動画を次々に閲覧することができる。
【符号の説明】
【００６０】
１０  フォトブック
２０  発注者端末
３１  Ｗｅｂサーバー
３２  データベース
４０  印刷・製本加工部
５０  カメラ付き端末
【図１】
2013092903.tif 000003
【図２】
2013092903.tif 000004
【図３】
2013092903.tif 000005
【図４】
2013092903.tif 000006
【図５】
2013092903.tif 000007
【図６】
2013092903.tif 000008
【図７】
2013092903.tif 000009
【図８】
2013092903.tif 000010
【図９】
2013092903.tif 000011
【図１０】
2013092903.tif 000012
【図１１】
2013092903.tif 000013